Podtech/llm-jp-corpus-v4-ja_patent huggingface dataset:
(57)【要約】【課題】従来の雷サージ保護回路は、回路部品数が多く必要である為、コストが高く実装スペースを多く必要とし、サージ電圧の除去効果は得られるが絶縁耐圧を保つことが困難であり、バリスタなどを流れる漏れ電流を絶縁することができないため、ノイズ対策が不十分であった【解決手段】ＡＣ入力線（ライブ線１及びニュートラル線２）に直列に接続された力率改善回路部５のインダクタＬ２の同相端子間にアレスタＡ１を挿入し、ＡＣ入力線のインダクタに高いサージ電圧が誘起した場合、そのサージ電圧を放電することにより抑圧する。【選択図】図１
2010239758.tif 000002
【特許請求の範囲】
【請求項１】
商用電源から供給されるＡＣ入力線（ライブ線及びニュートラル線）と力率改善回路及び整流回路部間に接続されたインダクタ部品を有し、そのインダクタ部品と直列に接続された力率改善回路部インダクタの同相端子間にアレスタが挿入されていることを特徴とする雷サージ保護回路。
【発明の詳細な説明】
【技術分野】
【０００１】
本発明は、空気調和機等の電子機器をサージ電圧から保護するための雷サージ保護回路に関するものである。
【背景技術】
【０００２】
電子機器は、雷サージ電圧やインパルス性ノイズによって、誤動作や破損を招く場合がある。雷サージは、数千Ｖの過大なサージ電圧がＡＣラインに重畳され、機器内に侵入することがある。この雷サージは、外部の電力線から電子機器内に入力されるコモンモード（同相）の外来サージであり、その過大なサージ電圧により整流回路などの電源回路が破損してしまう場合がある。そこでサージ吸収素子であるサージアブソーバー（バリスタ、アレスタなど）を挿入することにより、侵入した雷サージ電圧の吸収、又は放電を行ない、電源回路の保護をする。図２示した回路ブロックは、一般的な雷サージ対策で、  雷による過大なサージ電圧がＡＣラインに重畳された場合に、ライブ線１に印加されたサージ電圧はバリスタＢ１、Ｂ２、Ｂ３で、またニュートラル線２に印加されたサージ電圧はバリスタＢ２、Ｂ３、Ｂ４で短絡し、その放電電流はアースに流すことにより電源回路の保護をするようにしている。
【特許文献１】実開平１−９６７３８号公報
【特許文献２】実開昭６３−１４９１５２号公報
【発明の開示】
【発明が解決しようとする課題】
【０００３】
しかしながら、図２に示した回路ブロックのような雷サージ対策を施した場合、雷サージ電圧をグランド側に逃がすことによって、機器内に侵入することを防止できるが、このような回路ブロックを構成する為には、回路部品数が多く必要である為、コスト上昇、及び基板上における実装スペースを多く必要とする。特に従来の図２に示した回路ブロックの場合、各バリスタが商用電源に対して直列に挿入されることになるので、サージ電圧の除去効果は得られるが、絶縁耐圧を保つことが困難であり、バリスタＢ１、Ｂ２、Ｂ３、Ｂ４などを流れる漏れ電流を絶縁することができないため、ノイズ対策が不十分であった。
【課題を解決するための手段】
【０００４】
本発明は、前記従来の課題を解決するために、ＡＣ入力線（ライブ線及びニュートラル線）に重畳される雷サージ電圧を除去する電子機器の雷サージ保護回路において、ＡＣ入力線（ライブ線及びニュートラル線）に直列に接続された力率改善回路部インダクタの同相端子間にアレスタを挿入し、ＡＣ入力線のインダクタに高いサージ電圧が誘起した場合、そのサージ電圧を放電することにより抑圧するように構成されている。
【発明の効果】
【０００５】
ＡＣ入力線上のインダクタ部品の同相端子間に、アレスタを挿入することにより、雷サージ電圧の抑圧を行なうことができるようになると共に、漏れ電流の絶縁も行なうことができるようになる。また従来よりも雷サージ保護回路部品数が減る為、コストダウン、及び、実装スペースが少なくて済む。
【発明を実施するための最良の形態】
【０００６】
本発明は、従来の雷サージ保護回路が必要とする部品数に対し、この発明は、雷サージ保護回路部品数が少なく、コストダウン、及び、実装スペースを小さくすることができる。また、絶縁耐圧対策、及び、バリスタによる漏れ電流がなくなり、ＥＭＩフィルタの漏
れ電流の軽減ができる。
【０００７】
以下、本発明の実施の形態について、図面を参照しながら説明する。なお、この実施の形態によって本発明が限定されるものではない。
【０００８】
（実施の形態１）
図１は、本発明の回路ブロックである。アレスタＡ１をＡＣ入力線上の力率改善回路部インダクタＬ２の同相端子間にアレスタが挿入した例である。このような回路ブロックにおいて、雷による過大なサージ電圧がＡＣ入力線１、２から機器内部に侵入すると、ＡＣ入力線上に挿入されているインダクタ部品の同相端子間に極めて高い誘起電圧が発生し、この誘起電圧が機器内部のアース電位との間で放電し、そのスパークにより、電装部品、特に半導体素子が破壊される。しかし、本発明の場合は、アレスタＡ１によってＡＣ入力線上に挿入されているインダクタ部品の同相端子間に発生する極めて高い誘起電圧が抑制され、機器内部で放電（アース側）することを防止する。ＡＣ入力線上のインダクタ部品の同相端子間の前後に誘起するサージ電圧は、アレスタＡ１の放電開始電圧以下に抑制され、電子機器内部においては絶縁破壊を保護することができる。
【産業上の利用可能性】
【０００９】
本発明の雷サージ保護回路は、雷サージ電圧から空気調和機等の電子機器の電装品を保護するのに適する。
【図面の簡単な説明】
【００１０】
【図１】本発明の電子機器の雷サージ保護回路の回路ブロックの一例を示した構成図
【図２】従来の電子機器の雷サージ保護回路の回路ブロックの一例を示した構成図
【符号の説明】
【００１１】
１  ライブライン
２  ニュートラルライン
３  ヒューズ
４  商用電源
５  力率改善回路及び整流回路ブロック
６  スイッチング電源
Ｌ１  ラインフィルタ
Ｌ２  力率改善回路部インダクタ
Ｃ  コンデンサー
Ｂ１、Ｂ２、Ｂ３、Ｂ４  バリスタ
Ａ１  アレスタ
【図１】
2010239758.tif 000003
【図２】
2010239758.tif 000004
(57)【要約】【課題】空気調和機の制御装置において、インバータノイズ低減と樹脂製ケースへ収納して各アクチュエータに接続するリード線の引廻しを同時に行うことができる、安価で作業性の良い制御装置の収納方法を提供すること。【解決手段】空気調和機の制御装置１を収納する樹脂製ケースのリード線通し穴３に、インバータノイズ対策に効果のあるフェライトコア７を使用することで、ノイズ対策と、安価で作業性の良い収納を同時に行うことができる。【選択図】図１
2010239755.tif 000002
【特許請求の範囲】
【請求項１】
商用電源からの商用交流電圧がリアクタを介して、ダイオードブリッジと昇圧用のコンデンサからなる整流回路で整流され、平滑用コンデンサで平滑されて直流電圧が形成され、その形成された直流電圧を電源電圧にするインバータを備えた制御装置と、前記インバータにより駆動される圧縮機用モータとを備えた空気調和機において、前記制御装置を固定するために収納する樹脂製ケースに、各アクチュエータと接続するために前記制御装置のリード線を出すリード線通し穴を設け、この樹脂製ケースのリード線通し穴にインバータのノイズ対策に有効なフェライトコアを使用することを特徴とする空気調和機の制御装置。
【発明の詳細な説明】
【技術分野】
【０００１】
本発明は、インバータのノイズ対策と制御装置の空気調和機へ取り付けを同時に行うことを目的とした空気調和機への制御装置の収納方法に関するものである。
【背景技術】
【０００２】
インバータのノイズ対策として、従来より図２に示すように、フェライトコアの貫通孔にリード線を通過させて閉磁路を構成し、リード線の中に埋設されている導体の高周波インピーダンスを上げて、フェライトコアの磁気抵抗特性を利用して、高周波リードを熱に変えてしまう方法がある。これらフェライトコアは手軽にリード線に通すだけなので、広く採用されている（特許文献１参照）。
【特許文献１】特開２００１−１５５９２５号公報
【発明の開示】
【発明が解決しようとする課題】
【０００３】
しかしながら、ノイズ対策で各リード線にフェライトコアを取り付けると、圧縮機の振動によってフェライトコアが周辺部品に当たらないように固定する自具や他のリード線・信号線に取り付けられたフェライトコアとの接触を防ぐためにリード線の引き廻しを考慮する必要がある。フェライトコアを取り付けたリード線の引き廻し固定は、スペースに制約があるため、フェライトコアの位置決めやリード線の引き廻しが決まらず、作業性が悪い。
【０００４】
本発明は、前記従来の課題を解決するもので、制御装置から各アクチュエータに接続するための使用する制御装置が収納されている樹脂製ケースのリード線通し穴にノイズ対策に効果があるフェライトコアを使用し、リード線引き廻しとノイズ対策を同時に行い、安価で作業性の良い空気調和機への制御装置の収納方法を提供することを目的とする。
【課題を解決するための手段】
【０００５】
前記従来の課題を解決するために、本発明は、制御装置が収められている樹脂製ケースのリード線通し穴にファライトコアを使用し、引き廻しとインバータのノイズ対策を同時に行おうとしたものである。
【０００６】
これにより、リード線に取り付けられたフェライトコアの個数を削減でき、安価で作業性の良い空気調和機への制御装置の収納方法を提供することができる。
【発明の効果】
【０００７】
制御装置が収められている樹脂製ケースのリード線通し穴にファライトコアを使用することで、インバータのノイズ対策と安価で作業性の良い空気調和機への制御装置の収納を同時に行える方法を提供することができる。
【発明を実施するための最良の形態】
【０００８】
本発明は、制御装置が収められている樹脂製ケースのリード線通し穴にファライトコアを使用することで、空気調和機への制御装置の収納とインバータのノイズ対策を同時に行える制御装置の収納方法を提供することができる。
【０００９】
以下、本発明の実施の形態について、図面を参照しながら説明する。なお、この実施の形態によって本発明が限定されるものではない。
【００１０】
（実施の形態１）
図１は本発明の樹脂製ケースに収納された制御装置図である。図１を用いて本発明の第１の実施の形態を説明する。
【００１１】
図１では、従来例の図２のように、インバータノイズ対策用のフェライトコア５が取り付けられたリード線４がアクチュエータと接続するために樹脂製ケース２のリード線通し穴３から出て行く構造において、通し穴３にインバータノイズ対策用のファライトコア７を使用することでファライトコア５を削減でき、引き廻しの作業性を向上することができる。また、この樹脂製ケースは他モデルの空気調和機で共用設計となっているため、コストダウンにも繋がる。
【産業上の利用可能性】
【００１２】
この発明は空気調和機への制御装置の収納技術に関わり、インバータノイズ低減とリード線引き廻し作業の向上を同時に行うことができるので、空気調和機以外にもインバータを備える機器に広く適用できる。
【図面の簡単な説明】
【００１３】
【図１】本発明の樹脂製ケースに収納された制御装置の斜視図
【図２】従来の樹脂製ケースに収納された制御装置の斜視図
【符号の説明】
【００１４】
１  制御装置
２  樹脂製ケース
３  リード線通し穴
４  接続リード線１
５  ファライトコア
６  接続リード線２
７  リード線通し穴に使用するファライトコア
【図１】
2010239755.tif 000003
【図２】
2010239755.tif 000004
(57)【要約】【課題】今までのリモコン式魚釣りボートは、釣り糸の根がかりや、装置のトラブル、又手に持った触感が得られない等があり、竿式に比べ装置が高価なため、発展することがなかった。【解決手段】リモコン式魚釣りボートに適度のロープを設置し、トラブルが発生した時はそのロープにより手元に取り寄せ改修する。又竿による投げ釣りと異なり、ゆっくりと釣り場所設置する事が可能のためどんな生餌でも取り付けが可能となり、釣果が大いに楽しめる。そして釣れた場合に、ロープから伝える触感もあり、竿釣りに似た釣りが楽しむ事ができる。【選択図】図1
2010239877.tif 000002
【特許請求の範囲】
【請求項１】
推進力モーターを有するリモコン式魚釣りボートにおいて、釣り糸を上下させるモーターを備え、該モーターの回転軸に巻き取り用プーリを持った魚釣り装置と、リモコン式魚釣りボートに取り付けられたロープを備えた魚釣り用ボート。
【請求項２】
前記魚釣りボートは、該魚釣りボートの後方部にかじ取り装置を設けた魚釣りボート。
【発明の詳細な説明】
【技術分野】
【０００１】
本発明は一般娯楽用リモコン式魚釣りボートに関する。
【背景技術】
【０００２】
従来は竿による魚釣りが主流であり又、投げ竿の場合も投擲の位置や、エサに限定された。
【０００３】
本装置によって陸地から遠距離の釣りが可能になった。
【０００４】
エサも生餌が限定されずに使用でき、釣果が多い。
【発明の開示】
【発明が解決しようとする課題】
【０００５】
一般的リモコン装置は送受信の間において、電波が介在するのみであるため、トラブルが発生した場合に装置全体が機能しなくなり、無用の物と化してしまう。
【課題を解決するための手段】
【０００６】
第一の発明は、リモコン式魚釣りボートの受信側と送信側には、適度な太さのロープで連結し、トラブルの場合でのリモコン式魚釣りボートの遺失を防ぐことができる。
第二の発明は、リモコン式魚釣りボートに釣り糸を上下する装置を設置したことである。
【発明の効果】
【０００７】
今までのリモコン装置は無線なので、トラブル時の対応が難しかった、又無線のため釣れた場合の手に伝わる満足感がなかったが得られるようになった。
【発明を実施するための最良の形態】
【０００８】
リモコン式魚釣りボートは水際が遠い場合を想定し起重装置による着水を考慮し、リモコン式魚釣りボートの上部に紐又は鎖によるフックを装置し、着水しやすい様に製作されている。
【実施例】
【０００９】
本発明の実施例を図1・図2に沿って説明すると、（1）はリモコン式魚釣りボートの本体であり、（2）は上部のカバーであり、（3）はリモコン式魚釣りボートの推進力を発生させるモータであり、（4）はそのモータを固定する保持具であり、（5）は推進力を発生させるスクリューであり、（6）はモータとスクリューを繋ぐ連結棒であり、（7）はその連結棒とモータを繋ぐジョイントである。
【００１０】
（8）はリモコン式魚釣りボート内への水の浸入を防ぐ防水材であり、（9）は釣り糸を上下させる巻き取り用モータであり、（10）は巻き取り用モータに取り付けられたプーリであり、（11）は巻き取りを固定する保持具であり、（12）は釣り糸を水面に垂らすための滑車であり、（13）はその固定具であり、（14）は釣り糸を水面に垂らすための中間パイプ固定具である。
【００１１】
（15）は釣り用ロープを取り付ける棒であり、（16）（19）はリモコン式魚釣りボートの着水時に使用する連結棒であり、（17）（18）はその連結棒を固定する固定具であり、（21）はリモコンの受信装置であり、（22）は装置を駆動するバッテリーであり、（23）はアンテナであり、（24）はボート外に出た釣り針である。（25）はボートと操縦者を繋ぐロープであり、（26）はリモコン送信装置である。
【産業上の利用可能性】
【００１２】
本発明の活用例として、リモコン式魚釣りボートを池、川、湖、海などの岸部の場所から着水し、投げ釣りに変わる方法として釣りが楽しめることになり、又一般的に用いられる、竿による釣りより目的地が遠方へ投擲することができ又、魚釣り用のエサも投げ釣りに対して、ソフトに目的へ設置できるので、釣果が多く大いに楽しめる。又地上からの釣りのため、船酔いが起こらず、釣りをたくさんの人が楽しむことができる。
【図面の簡単な説明】
【００１３】
【図１】本発明の魚釣りボートの平面図である。
【図２】本発明式魚釣りボートの側面から見た一部断面図とリモコン送信機の図である。
【符号の説明】
【００１４】
1  リモコン式魚釣りボート本体
2  リモコン式魚釣りボートカバー
3  推進力用モータ
4  推進力用モータ保持具
5  スクリュー
6  推進力用モータとスクリューの連結棒
7  推進力用モータと連結棒を繋ぐジョイント
8  防水材
9  釣り糸巻き取り用モータ
10   
釣り糸巻き取り用プーリ
11   
巻き取りモータ保持具
12  滑車
13   
滑車固定具
14   
パイプ固定具
15   
ロープ取り付け棒
16   
後連結棒
17   
後ロープ保持具
18   
前ロープ保持具
19   
前連結棒
20   
前連結棒固定具
21   
リモコン受信装置
22   
バッテリー
23   
リモコン用アンテナ
24   
釣り糸
25   
ロープ
26   
リモコン送信装置
【図１】
2010239877.tif 000003
【図２】
2010239877.tif 000004
(57)【要約】      （修正有）【課題】ｗｅｂサーバやｗｅｂアプリを不要とし、認証に必要な情報を１度に送信することによって、設定認証を行うことができる携帯電話連動インターホンシステムを提供する。【解決手段】インターホン端末と携帯電話端末間の通話／通信を、無線ルータによって制御される携帯電話連動インターホンシステムにおいて、携帯電話端末は、インターホン端末と接続するための固定ＩＰアドレス、認証ＩＤ、パスワード等の設定情報を入力する入力手段を備え、設定情報をインターホン端末に一括で送信し、インターホン端末と携帯電話端末間のアプリケーション層を設定するための設定ファイルを作成し、携帯電話端末に転送することにより、インターホンと携帯端末の通信を確立することができる。【選択図】図１
2010239332.tif 000002
【特許請求の範囲】
【請求項１】
インターホン端末（１）と携帯電話端末（３）間の通話／通信を、無線ルータ（２）によって制御される携帯電話連動インターホンシステムにおいて、
前記携帯電話端末は、前記インターホン端末と接続するための固定ＩＰアドレス、認証ＩＤ、パスワード等の設定情報を入力する入力手段を備え、前記設定情報を前記インターホン端末に一括で送信し、前記インターホン端末と前記携帯電話端末間のアプリケーション層を設定するための設定ファイルを作成し、前記携帯電話端末に転送することにより、前記インターホンと携帯端末の通信を確立することができる携帯電話連動インターホンシステム。
【発明の詳細な説明】
【技術分野】
【０００１】
本発明は携帯電話連動インターホンシステムにおいて、特に、インターホン端末と携帯電話との初期設定を容易に行うことができる携帯電話連動インターホンシステムに関する。
【背景技術】
【０００２】
従来、インターホン装置は携帯電話と連動して通話を行うことが知られている。例えば、特許文献１には、留守時に訪問者があった場合に、外出先でも応答することができるインターホンシステムが記載されている。また、このインターホンと携帯電話はインターネットプロトコルによって接続されており、その初期設定にはサーバを用いてＩＰアドレス等の設定を行っていた。例えば、特許文献２である。
【先行技術文献】
【特許文献】
【０００３】
【特許文献１】特開２００２−３００２９５号公報
【特許文献２】特開２００２−２５２６２０号公報
【発明の開示】
【発明が解決しようとする課題】
【０００４】
しかしながら、インターホン端末からログイン画面をダウンロードさせるためにＷｅｂサーバが必要となる上、ＵＲＬの入力とＩＤとパスワードなどの入力で何段階か手順を踏む必要があった。
【０００５】
本発明は、この難点を解決するためになされたもので、ｗｅｂサーバやｗｅｂアプリを不要とし、認証に必要な情報を１度に送信することによって、設定認証を行うことができる携帯電話連動インターホンシステムを提供することを目的とする。
【課題を解決するための手段】
【０００６】
上記課題を解決するために、請求項１に記載の発明は、インターホン端末と携帯電話端末間の通話／通信を、無線ルータによって制御される携帯電話連動インターホンシステムにおいて、携帯電話端末は、インターホン端末と接続するための固定ＩＰアドレス、認証ＩＤ、パスワード等の設定情報を入力する入力手段を備え、設定情報をインターホン端末に一括で送信し、インターホン端末と携帯電話端末間のアプリケーション層を設定するための設定ファイルを作成し、携帯電話端末に転送することにより、インターホンと携帯端末の通信を確立することができる。
【発明の効果】
【０００７】
本発明によれば、携帯電話とインターホンが連動するための初期設定作業を低価格で、容易に行うことができる。
【図面の簡単な説明】
【０００８】
【図１】本発明にかかる携帯電話連動インターホンシステムの実施例を示すシステム構成図である。
【図２】本発明にかかる携帯電話連動インターホンシステムの初期設定シーケンス図である。
【発明を実施するための形態】
【０００９】
以下、本発明によるインターホン装置を適用した好ましい形態の実施例について、図を参照して説明する。図１は本発明のシステム構成図であり、インターホン端末１と、無線ＬＡＮルータ２と、携帯電話端末３で構成されている。インターホン端末１はドアホン端末１１と室内端末１２で構成されており、室内端末１２は無線ＬＡＮルータ２と有線接続されており、無線ＬＡＮルータ２と携帯電話端末３は無線接続されている。図２は本発明のインターホン端末２シーケンス図を表している。
【００１０】
ここで、インターホン端末１と携帯電話端末３間で通信／通話を行うようにするための初期設定動作について説明する。
まずは、プロトコル層のうち物理層、データリンク層までの設定を行っておく。その後、携帯電話端末３と室内親機１２でネットワーク層以上の階層の接続設定を行う。その後、携帯電話端末３と室内親機１２にインストールされている初期設定アプリケーションを起動させる。この初期設定アプリケーションは、室内端末１と携帯電話端末３間の通信／通話を行うための初期設定用のアプリケーションである。その後、携帯電話端末３にて、室内親機１２のＩＰアドレスと、携帯電話３を認証するための認証ＩＤと、パスワード等の設定情報を入力し、無線ＬＡＮルータ２を介して室内親機１２に送られる。室内親機１２は、ＩＰアドレスを取得することにより、携帯電話端末３間とのネットワーク層のリンクを確立することができる。また、認証ＩＤとパスワードを取得した室内端末１２は、ドアホン端末１１、室内端末１２と携帯電話端末３から通信するためのアプリケーション層を設定するための設定ファイルを作成し、携帯電話端末３に転送する。
これらの設定によって、携帯電話端末３と室内端末１２間のプロトコルの確立を行うことができ、ドアホン端末１１、または室内端末１２と携帯電話端末３との通信／通話を行うことができる。
【符号の説明】
【００１１】
１・・・                     インターホン端末
２・・・                     無線ＬＡＮルータ
３・・・                     携帯電話端末
【図１】
2010239332.tif 000003
【図２】
2010239332.tif 000004
(57)【要約】【課題】古くから医薬品、化粧品、食品等の製造に用いられてきたが、現在では化学油に押され多くが廃棄処分になっている植物油及び動物油の成分の危険性、変質を抑えた原材料を確保する製法を提供する。【解決手段】水と植物油又は動物油の混合溶液に厚生労働省で認可され安全性が確認されている水溶性珪素を加え攪拌することによって混合溶液を乳濁化し、危険性の高い油を安全性の高い天然香料にすると共に変質を極力抑え腐敗防止を長期化するという製造方法である。 【選択図】なし【特許請求の範囲】
【請求項１】
厚生労働省で認可され、安全性が確認されている水溶性珪素を添加することで植物油及び動物油の乳化が可能となり、安全性の高い天然香料に変えると共に水溶性珪素の還元能力の高さで長期の腐敗防止をすることを特徴とする食品等の製造方法。
【発明の詳細な説明】
【技術分野】
【０００１】
本発明は、厚生労働省で認可され安全性が確認されている水溶性珪素を植物油又は動物油等に添加することによって、危険性の高い油を安全性の高い天然香料にすると共に変質を極力抑え腐敗防止を長期化する製造方法に関するものである。
【背景技術】
【０００２】
植物油及び動物油は古くから医薬品、化粧品、食品等の製造に用いられてきたが、危険性が高い、早期腐敗等の理由で利用が限られ、多くが廃棄処分される。
【０００３】
近年、天然油が見直されてきたものの依然として危険性が高く及び変質が早く利用拡大が阻まれている。
【特許文献１】特許公開２００４−３３７０１１広報
【発明の開示】
【発明が解決しようとする課題】
【０００４】
従来の製法では、成分の危険性が大きく、変質が早かった。この危険性、変質を抑えれば、安全な原材料を確保できる。
本発明は、水溶性珪素に着目し、危険性、変質を抑え、安全な原材料を確保できる製法を提供しようとするものである。
【課題を解決するための手段】
【０００５】
本発明は水溶性珪素を添加することで、成分の危険性、変質を抑え、安全な原材料を提供することを主要な特徴とする。
【発明の効果】
【０００６】
本発明の水溶性珪素添加製法は、成分の危険性、変質を抑えることで、安全な原材料を提供する効果がある。
【発明を実施するための最良の形態】
【０００７】
水溶性珪素を添加攪拌することで乳化し、成分の危険性、変質を抑え、安全な原材料の提供を実現できた。
【実施例１】
【０００８】
水と植物性香油に水溶性珪素を加え混合攪拌することで乳濁液となり入浴剤ができる。又、香油は従来必要とされた量の１０００分の１程度で有効な香りを発する。
(57)【要約】      （修正有）【課題】無農薬で健康的な農作物の提供。【解決手段】殺菌作用のある紫の可視光線と、不可視光線の近紫外線を透過する植物被覆帯で、農産物を覆って栽培すれば、被覆帯の内部は紫色となり、紫の可視光線と不可視光線の近紫光線で殺菌されるので、害虫が発生せず、完全な無農薬で健康的な農作物を提供できる。【選択図】図１
2010239952.tif 000002
【特許請求の範囲】
【請求項１】
紫の可視光線と不可視光線の近紫外線を透過する植物被覆帯
【発明の詳細な説明】
紫の可視光線の外側に付属している不可視光線の紫外線を透過する植物被覆帯、たとえば紫色の不織布やフィルム等の「パオパオ」又は「マルチング」等で農作物を覆って農作物を栽培すれば、農作物は紫の可視光線と不可視光線の近紫外線が透過して作物の成長を著しく促進し、且つ紫外線が常時透過しているので作物は殺菌された状態で栽培されているから害虫が浸入する余地等は全くない、すなわち完全に無農薬の農作物を提供することを最大の特徴とした。「紫の可視光線と不可視光線の近紫外線を透過する植物被覆帯」を本日ここに発表するものである。
【図１】
2010239952.tif 000003
【手続補正書】
【提出日】平成21年9月4日(2009.9.4)
【手続補正１】
【補正対象書類名】明細書
【補正対象項目名】全文
【補正方法】変更
【補正の内容】
【発明の詳細な説明】
【技術分野】
【０００１】紫の可視光線とその外側に付属している不可視光線の紫外線を透過する植物被覆たとえば紫色の不織布やフイルム等の「パオパオ」又はマルチング」等で農作物を覆って栽培すれば、農作物は紫の可視光線と不可視光線の近紫外光線が透過して作物の生長を著しく保進し、且つ紫外線が常時透過しているので作物は殺菌された状態で栽培されているから害虫が侵入する余地などは全く無い、すなわち完全に無農薬の農作物を提供することを最大の特徴とした「紫の可視光線と不可視光線の近紫外線を透過する植物被覆帯」を本日ここに発表するものである。
【図面の簡単な説明】
【００２】
【図１】農作物を本発明の「紫の可視光線と不可視光線の近紫外線を透過する皮覆帯」で覆い作物の生長を早め且つ害虫が全く付着しない無農薬で安全な農作物を栽培すること示す斜視図。
【符号の説明】
【０００３】（１）植物被覆帯（２）植物被覆帯支え支柱（３）無農薬農作物
(57)【要約】【課題】  飼い猫を遊ばせるため、または運動をさせるためにテニス・ボールやゴム・ボール等を与えても、そのような従来のボールは単にまっすぐ転がるだけであり、猫の好奇心を著しく刺激することはなく、短時間で飽きてしまうことが多かった。したがって、猫に充分な運動をさせられない場合も多かった。【解決手段】  プラスチック等を材料とするボール（１）の内壁にいくつかの隆起（３）と突起（４）を配置し、ボールの内部に金属球（２）を入れることにより、外部から力が加えられたときに金属球がボール内壁の隆起や突起に作用して予測できない転がり方を見せ、猫の好奇心と狩猟本能を刺激する。したがって猫は従来のボールの場合より長い時間にわたってこのボールで遊び、それに伴って猫の運動量も増加する。【選択図】図１
2010239951.tif 000002
【特許請求の範囲】
【請求項１】
空洞の球体（１）の内壁にいくつかの隆起部分（３）と突起部分（４）を設け、（１）の内部に、（１）の素材より比重の大きい素材からなる空洞でない別の球体（２）を組み込むことを特徴とし、外部からの力を受けて不規則な転がり方を見せるボール型玩具。
【発明の詳細な説明】
【技術分野】
【０００１】  本発明は、飼い猫に玩具および運動用具として与える器具に関するものである。
【背景技術】
【０００２】  従来、室内で飼い猫を遊ばせようとする際、あるいは飼い猫の健康維持や肥満防止のために運動をさせようとする際、テニス・ボールやゴム・ボール等を与えることが多かった。
【発明の概要】
【発明が解決しようとする課題】
【０００３】  上記のように、たとえばテニス・ボールを猫に与えた場合、ボールは単に力を加えられた方向に転がるだけであり、ネズミのように細かく動き回る動物を追いかける本能を持つ猫の好奇心を著しくそそるまでには至らず、すぐに飽きてしまうことも多かった。したがって、充分な運動量を得られないままに終わる場合も多かった。
本発明は、これらの問題点を解消しようとするものであり、外的な力を加えられると、その内部の特殊な構造と構成により、転がる方向を予測できない不規則な動きを見せるボールを提供することを目的としている。
【課題を解決するための手段】
【０００４】  軽量でありながら充分な強度を有するプラスチック等を材料とする直径６ｃｍほどのボール（１）の内壁になだらかな隆起部分（３）と突起部分（４）をいくつか設け、このボールの内部に直径１５ｍｍほどの金属球（２）を入れる。
本発明は、上のような構成を特徴とする飼い猫用ボール型玩具および飼い猫用ボール型運動器具である。
【発明の効果】
【０００５】  本発明のボール（１）に外的な力が加えられると、ボール内部の金属球（２）がボール内壁の隆起部分（３）や突起部分（４）に接触して作用し、ボールを不規則な方向に動かすので、ボールは予測不能な転がり方を見せる。【０００６】  猫はこの予測不能な転がり方を見せるボールに対して大いに好奇心と狩猟本能をそそられ、単にまっすぐしか転がらない従来のボールを与えられた場合と比べ、より長い時間にわたってこのボールを前足で転がしては追い回すという行動を繰り返す。それに伴って猫の運動量も従来のボールで遊ぶ場合と比較して多くなる。【０００７】  猫だけでなく、本発明のボールは人間の児童の好奇心もそそるので、児童用の玩具としても利用できる。【０００８】  本発明を児童用の玩具として制作する際は、ボールの直径は約６ｃｍにとどまらず、どのような大きさにすることも自由である。
【図面の簡単な説明】
【０００９】
【図１】本発明の全体図および部分断面図
【図２】同Ａ−Ａの断面図
【図３】同Ｂ−Ｂの断面図
【符号の説明】
【００１０】  １  本体ボール部分
２  金属球
３  隆起
４  突起
【発明を実施するための形態】
【００１１】  以下、本発明の実施の形態について説明する。
【００１２】  図１は本発明の全体図および部分断面図であり、本体ボール部分（１）の内部に金属球（２）が組み込まれていることを示している。
【００１３】  図２と図３は本発明の断面図であり、本体の内壁にいくつかの隆起部分（３）と突起部分（４）が設けられていることを示している。
【図１】
2010239951.tif 000003
【図２】
2010239951.tif 000004
【図３】
2010239951.tif 000005
(57)【要約】      （修正有）【課題】これまでの串団子とまんじゅうは、あんこ、醤油砂糖、ごま、くるみの限られた食材から、洋菓子などの食材のチョコレートを使うことによって、新しい味の串団子、まんじゅうを提案する。【解決手段】和菓子の食材から洋菓子の食材へ変えることで、和菓子を洋風の味に変えることができ、多様な味を楽しむことができる。串団子、まんじゅうのチョコレートソースの固さは、チョココロネ（パン）が良く、チョコチップ、クッキーチップも加える新しい味の串団子又はまんじゅう。【選択図】図１
2010239955.tif 000002
【特許請求の範囲】
【請求項１】
本発明は、串団子の上に、チョコレートを使ってかける食品の特許です。串団子の上に、普通のチョコレート、ホワイトチョコレート、いちごチョコレート、抹茶チョコレート、フルーツチョコレートをかけて食べる新商品の串団子です。
【請求項２】
串団子のほかに、まんじゅうの中にチョコレートを包む食品もあります。チョコのみ、チョコレートとカスタードクリーム、チョコとクリーム、チョコとフルーツを入れるまんじゅうです。フルーツチョコを使う時もあります。
モンブラン、サツマイモのクリーム（モンブランに似ている）もまんじゅうの中に使います。
【発明の詳細な説明】
【技術分野】
【０００１】  本発明は、串団子とまんじゅうにチョコレートを使う和菓子の特許です
【背景技術】
【０００２】  今までの串団子とまんじゅうは、あんこ、醤油砂糖、ごま、くるみの限られた食材がおもだった。
【特許文献１】  「チョコレート串団子」「フルーツチョコレート団子」「チョコレートまんじゅう」「フルーツチョコレートまんじゅう」「抹茶チョコレート団子」「抹茶チョコまんじゅう」
【発明の開示】
【発明が解決しようとする課題】
【０００３】  今までのあんこ、醤油砂糖、ごま、くるみの限られた食材から、洋菓子な食材のチョコレートを使うことによって、新しい味の串団子、まんじゅうを提案する。
【発明が解決するための手段】
【０００４】  和菓子の食材から洋菓子の食材へ変えること。
【発明の効果】
【０００５】  もちに新しい味のチョコレートを使うことによって、今までにない和菓子にする。
【発明を実施するための最良の形態】
【０００６】  ほかに、カスタード、クリーム、モンブラン、サツマイモのモンブラン風クリーム、フルーツ味チョコ、抹茶チョコ、よもぎチョコを使うことによって、味のバリエーションを豊富にする。もち自体にも、チョコレートもち、いちご色のもち、抹茶、よもぎもちとカラーもちもつくる。
【実施例】
【０００７】  はじめに、チョコレートの串団子やまんじゅうを作って売る。その後、いちごチョコレートの串団子やまんじゅうを作って売る。その後ホワイトチョコレートの串団子やまんじゅうを作って売る。もちの色もチョコもち、桃色もち、抹茶もちと色々変える。
チョコレートの上にココア粉とか、抹茶の粉もふりかけたりする。見た目のイメージも変わる。洋風ケーキ店にあっても、違和感もないと思う。
【産業上の利用可能性】
【０００８】定番の和菓子であった、串団子とまんじゅうに洋菓子の食材を取り入れることで、一新されたお菓子を提案する。日本人にも外国人にも、好まれるお菓子になると思われる。
海外で売っても好まれるお菓子になると思う。
【図面の簡単な説明】
【０００９】
【図１】  本発明の普通の販売の図
【図２】  本発明の図と、もちの断面図と中身（１種類）
【図３】  もちの断面図と中身（２種類）
【図４】  もちの断面図と中身（３種類）
【図１】
2010239955.tif 000003
【図２】
2010239955.tif 000004
【図３】
2010239955.tif 000005
【図４】
2010239955.tif 000006
(57)【要約】【課題】腐葉土が流出しないようにフィルターを設けた基盤の表面に、芝生の種子付きシートを貼り、土の流出無く芝生を育成させる植生マットを提供する。【解決手段】  基盤に腐葉土を使用し、腐葉土の利用価値を高め、土が流出しないように底部と周囲にはフィルターを貼り、表面に芝生の種子付きシートを貼り合わせた植生マットを特徴とする。【選択図】図１
2010239948.tif 000002
【特許請求の範囲】
【請求項１】
腐葉土を主材とした基盤マットで、土が流出しない処理を施した緑化用の植生マット
【発明の詳細な説明】
【技術分野】
【０００１】  この発明は、腐葉土が流出しないようにフィルターを設けた基盤マットの表面に、芝生の種子付きシートを張り、散水や降雨により土の流出も無く芝生を育成させるものである。
【背景技術】
【０００２】  従来、植生マットは、間伐材等の木材の部分を基盤として使用していた。
また、芝生マットも張り芝を上に置いたもので、持ち運びの際に土が落ちたり、散水や降雨により土が流出しやすいものとなっていた。
【発明の開示】
【発明が解決しようとする課題】
【０００３】  これは、次のような欠点があった。
（イ）樹木を増やしＣＯ２削減を計ると落ち葉等が増え、腐葉土として使い切れないで      ゴミが増える。
（ロ）気温上昇を押さえる為、屋上等コンクリート等の平坦な場所の温度上昇を抑える      必要がある。
（ハ）持ち運びまたは芝が生育していく上で、土が落ちたり土が流出することがあった      。
本発明は、以上のような欠点をなくすためになされたものである。
【課題を解決するための手段】
【０００４】  基盤に腐葉土（１）を使用し、腐葉土の利用価値を高め、土が流出しないように底部と周囲にはフィルター（２）を貼り、表面に芝生の種子付きシート（３）を貼り合わせた。
本発明は、以上の構成よりなる腐葉土を基盤とした芝生の種子付き緑化用植生マットである。
【発明の効果】
【０００５】  （イ）街の美化運動を推進し、ゴミの削減に繋がる。
（ロ）地球温暖化防止として、ＣＯ２削減と気温上昇抑制の為の緑化を推進する。
（ハ）土が落ちないし、流出も無い。
【発明を実施するための最良の形態】
【０００６】  以下、本発明を実施するための最良の形態について説明する。
腐葉土の基盤マット（１）に土の流出しないフィルター（２）を貼り、表面に芝生の種子付きシート（３）を貼り合わせた。
本発明は、以上のような構造である。
これを使用するときは、屋内でも土が落ちないので、そのまま運搬し、敷き並べ散水すれば良い。
【図面の簡単な説明】
【０００７】
【図１】  本発明の斜視図である。
【図２】  本発明の断面図である。
【符号の説明】
【０００８】  １  腐葉土の基盤マット
２  土の流出防止フィルター
３  芝生の種子付きシート
【図１】
2010239948.tif 000003
【図２】
2010239948.tif 000004
(57)【要約】【課題】ヘラブナや鯉などを練り餌で釣る場合に、特にヘラ浮きのような感度の良い浮きを使用する仕掛けでは練り餌を任意の大きさに揃える事が釣果を得る為の重要な条件の一つとなっているが、従来のように指先の感覚だけで練り餌を任意の大きさに揃えるには熟練が必要な上、さらに手がかじかんでしまうような状況下ではベテランでも難しい為、手軽に任意の大きさの練り餌を作れる練り餌計量器を提供する。【解決手段】練り餌計量器本体（１）に大きさの異なる複数のくぼみを練り餌計量用の型（２）として設けた事を特徴とする。【選択図】図１
2010239950.tif 000002
【特許請求の範囲】
【請求項１】
練り餌計量器本体に大きさの異なる複数のくぼみを練り餌計量用の型として設けた練り餌計量器。
【発明の詳細な説明】
【技術分野】
【０００１】  この発明は、魚釣りに関し、特に練り餌を使用してヘラブナや鯉など狙う釣りの時に使用するもので、練り餌を常に任意の大きさに揃える為に手軽に計量出来るようにした練り餌計量器に関するものである。
【背景技術】
【０００２】  従来、練り餌は指先の感覚だけで大きさを調節していた。
【発明の概要】
【発明が解決しようとする課題】
【０００３】  これには次のような欠点があった。
ヘラブナや鯉などを練り餌で釣る場合に、特にヘラ浮きのような感度の良い浮きを使用する仕掛けでは、練り餌の大小によっても浮きの目盛りが示す位置が変化してしまうので、練り餌を任意の大きさに揃えて浮きの目盛りが示す位置を安定させる事、すなわち練り餌の届いている場所を安定させる事が釣果を得る為の重要な条件の一つであるにもかかわらず、練り餌を常に任意の大きさに揃える為に手軽に計量出来る道具がなく、練り餌を指先の感覚だけで常に任意の大きさに揃える事は熟練を要した。また、特に冬場は水温が下がり、魚の活性も低くなるために浮きに出るアタリも小さくなるので、ヘラ浮きの中でも浮力の少ない特に感度の良い浮きを使用する事になる。そのため、練り餌の大きさを揃える事の重要性が増すが、ベテランであっても手がかじかんでしまう真冬の早朝などは練り餌を思うように扱う事が難しかった。
本発明は以上のような欠点をなくすためになされたものである。
【課題を解決するための手段】
【０００４】  練り餌計量器本体（１）に大きさの異なる複数のくぼみを練り餌計量用の型（２）として設けた。
本発明は以上の構成より成る練り餌計量器である。
【発明の効果】
【０００５】  釣り場や季節、釣り方、仕掛けの種類、魚の活性の状況等により、求められる練り餌の大きさは随時変わってくるが、任意の型（２）を使用する事により、練り餌を常に任意の大きさに揃える事が出来る。【０００６】  針を複数本付けた仕掛けを使った釣りの時に集魚用練り餌と食わせ用練り餌など数種類の練り餌を同時に使用する事があるが、機械や容器を使わずに練り餌を型（２）に直接詰めるため、集魚用練り餌と食わせ用練り餌など数種類の練り餌を同時に使用する事が出来る。【０００７】  機械ではなく人の手によって練り餌を型（２）に詰めるので、詰め方を加減する事が出来る。よって、練り餌が必要以上に硬くなってしまったり、必要以上に粘りが出てしまったりするような事がない。
【図面の簡単な説明】
【０００８】
【図１】  本発明の斜視図である。
【図２】  本発明の半断面図である。
【発明を実施するための形態】
【０００９】以下、本発明の実施の形態を図１〜図２に基づいて説明する。
【００１０】  練り餌計量器本体（１）に大きさの異なるくぼみを練り餌計量用の型（２）として複数設ける。
【００１１】  大きさの異なる練り餌を付けると、浮きの目盛りが示す位置も変わってくるが、その関係が具体的にわかることで釣りの組み立てが容易になる。そのため、計量用の型（２）１つ１つに型番号（３）を付ける。また、従来は練り餌の大きさを表すのには指先やパチンコ玉、小豆などを例にしていたが漠然としたものであった。しかし、計量用の型（２）１つ１つに型番号（３）を付ける事により釣行の記録などを残す際に、使用した型（２）の型番号（３）が具体的な数値として残る為、データとして活用出来るようになる。
【００１２】  使用する練り餌の種類や使用する型（２）の大きさによっては、ヘラ（４）を使用した方が練り餌を詰めやすかったり、取り出しやすかったりする為、ヘラ（４）を付属品とする。
【００１３】  餌ボウルの上に蓋代わりに置くなど、不安定な場所に置く事が考えられる為、練り餌計量器本体（１）の底面に滑り止め（５）を付ける。
【００１４】  釣り座を構える場所によっては、水面から高さがあったり、流れがあったりするので、練り餌計量器本体（１）、及び、付属品のヘラ（４）に落下防止用のひもやチェーン等を取り付ける為の穴（６）を開ける。
【００１５】  型詰め前後の練り餌を置けるようにする為の受け皿（７）を設ける。
【００１６】  本発明は以上のような構造でこれを使用するときは、釣りの際に、状況に合わせた練り餌の大きさになるように任意の型（２）に練り餌を詰めて計量して使用すればよい。
【符号の説明】
【００１７】１  練り餌計量器本体
２  型
３  型番号
４  ヘラ
５  滑り止め
６  穴
７  受け皿
【図１】
2010239950.tif 000003
【図２】
2010239950.tif 000004
(57)【要約】【課題】        植物に直接塗布できる保湿・艶出し剤を提供する。【解決手段】        疎水性基剤に硫酸アルミニウムカリウムを均一に混合することを特徴とする硫酸アルミニウムカリウム入り疎水性基剤である。【特許請求の範囲】
【請求項１】
疎水性基剤に硫酸アルミニウムカリウムを混合することを特徴とする植物用保湿・艶出し剤。
【発明の詳細な説明】
【技術分野】
【０００１】        本発明は、植物用保湿・艶出し剤に関するものである。
【背景技術】
【０００２】        従来、保護ケースの使用や、水に薬品を混合して植物に吸収させ保湿効果や艶出        しをしていた。
【発明の開示】
【発明が解決しようとしている課題】
【０００３】        そのために次のような問題点があった。
（イ）保護ケースを使用する場合、大きさ・設置場所・移動手段等の制限が多い              。
（ロ）水に薬品を混合すると、自然の色合いと異なる場合が多い。
（ハ）防腐作用がない。
（ニ）鮮度を保つために水分が必要である。
【課題を解決するための手段】
【０００４】        疎水性基剤に硫酸アルミニウムカリウムを混合する。以上を特徴とする。
【発明の効果】
【０００５】        疎水性基剤を用いるため、植物の形状や大きさに関係なく使用できる。防腐作用がある。疎水性基剤を用いることで水の蒸散を阻止し、水分を植物内に保持できる。それにより、水分の補給なしに通常よりも鮮度を保つことが出来る。
【発明を実施するための最良の形態】
【０００６】        以下、本発明の実施の形態について説明する。
（イ）白色ワセリン約１５ｋｇに硫酸アルミニウムカリウム約５００ｇを均一に              混合する。
本発明は、以上の構成によりなっている。
これを使用するときは、適量を直接植物に塗布する。
本発明の実施の形態では、白色ワセリンを例に説明をしたが、他の疎水性基剤や        乾燥硫酸アルミニウムでも同様に製造できる。
(57)【要約】【課題】安価で実用的な太陽光集光装置、太陽光発電装置を提供する。【解決手段】大地をＦ値が０．７〜１．４の横長反射鏡面に造成、そこに反射材を設け集光する。複数列にすると効率的。【選択図】図１
2010239100.tif 000002
【特許請求の範囲】
【請求項１】
大地をパラボナ面状、あるいは焦点が直線状になる、縦に切断した円柱に似た横長の放物面を持つように造成、成形し、その面を反射材に施工またはその面に反射材を設置することにより、太陽光を集め、それをエネルギー源として利用することを特徴とする装置において、焦点距離／口径に当たるＦ値が０．７〜１．４程度のもの。
【請求項２】
前記方法の直線焦点のものが、連続して複数列横に並んでいることを特徴とする、太陽光発電装置。
【発明の詳細な説明】
【技術分野】
【０００１】本発明は大地反射鏡による太陽光発電装置に関する。
【背景技術】
【０００２】  本出願人による大地反射鏡による発電が、昨年１２月末に出されている。
【発明の開示】
【発明が解決しようとする課題】
【０００３】  前回出願したものを、実際に作り始めると、斜めから光を受けた場合、光の一部がどうしてもうまく焦点直線状に集まらず、困っていた。またうまく集まる中央部だけにすると幅が狭くなりすぎ、面白くない。
【課題を解決するための手段】
【０００４】最初のうちは方物面の精度が悪いためと考え、これは後できちんと造れば直ると思っていたが、やっとこれはＦ値が問題になっていることに気づいた。幅１０ｍで焦点距離が３ｍではＦ値は０．３になってしまい、これではどんなレンヅでも反射鏡でも無理であろう。写真を撮るわけではないので、Ｆ１．５と言うような精度までは必要なく、Ｆ値を０．７〜．１．４程度にすること、複数列にすることにより、上記の問題を解決した。
【発明の効果】
【０００５】集光に無駄がなくなり、きわめて精度が良くなるため、蒸発管を上から被う、ずれた光を集める、ステンレス板も小さくなり、その内側の断熱壁も小さくてすむ。幅は狭くなるが、横に何列も並ぶため、高緯度に地方では、かなり斜めに入った光は、隣の蒸発管に引き渡してしまうという芸当も可能になる。もちろんこの場合、蒸発管全体が１スパン分南に移動、一番南の蒸発管はお休みとなる。北半球の場合。浅い凹面のため、土の移動が極めて少なく、手作業でも成形できる。幅が小さいため、雨水の処理も簡単である。大きな斜めの部分がないため、鏡を使った場合のゆがみのずれも少ない。Ｆ値が大きいと支柱が高くなり、費用がかかるばかりで、メリットがない。
【発明を実施するための最良の形態】
【０００６】  直線状の焦点を持ち。東西に長くのびた装置の１例を挙げる。第１図に示すものは、一部省略した斜視図である。この場合１列の幅４ｍ、長さ５０ｍ、焦点の高さ５ｍ、Ｆ値は１．２５である。１は浅い波状大地、２は蒸発管、３は６ｍの足場パイプ支柱、４は発電機、５は地下水流入口、６はユニバーサルジョイントにした蒸気管である。この部分は精密ねじ式にすると蒸気が漏れにくく、良いと思う。発電機は中央部にしたほうがよいが、図が分かりにくくなるのではじに描いた。蒸発管は下面が耐熱３重ガラス窓、その他の部分はブリキ波板、アルミホイル、グラスファイバーなどにより、８重もの断熱壁になっている。反射材にガラス鏡を使う場合、一般的な３寸６寸（約９０ｃｍ＊１８０ｃｍ）、厚さ３ｍｍのものを使うと、地面に置いただけで、自重により、下の大地曲面と同様に歪む。この平面鏡がそのまま曲面鏡になりえ、それが大地反射鏡に使えるという発見は、特許になると思うが、これはあえて出願せず、公表した。
【図面の簡単な説明】
【０００７】
【図１】  斜視図
【符号の説明】
【０００８】１  波状大地反射面
２  蒸発管
３  支柱
４  発電機
５  地下水出入り口
６  ユニバーサルジョイント
【図１】
2010239100.tif 000003